(57)【要約】【課題】ボタンホール用縫い目が形成される布地のずれを適正に防止する。【解決手段】ボタンホール用縫い目が形成される布地を押さえるミシンのボタンホール押さえ１００である。縫い針が針落ちされる針落ち用開口部１の縁部で、且つ、底面２に設けられ、布地の表面に接触して当該布地がずれるのを防止する布ずれ防止部３を備える。布ずれ防止部３は、弾性体からなり、その布地側の面から突出するように形成された複数の凸部３１を備える。これら凸部３１の各々には、少なくとも針落ち用開口部１側の端部から延設され、布地側になるに従って針落ち用開口部１から離れるような向きにのみ傾斜されてなる傾斜面部が設けられている。【選択図】図２
2006166978.tif 000002
【特許請求の範囲】
【請求項１】
ボタンホール用縫い目が形成される布地を押さえるミシンのボタンホール押さえであって、
前記ミシンに備わる縫い針が針落ちされる針落ち用開口部と、
前記針落ち用開口部の縁部で、且つ、前記布地側に設けられ、前記布地の表面に接触して当該布地がずれるのを防止する布ずれ防止部と、を備え、
前記布ずれ防止部は、弾性体からなり、その布地側の面から突出するように形成された複数の凸部を備え、
前記凸部には、少なくとも前記針落ち用開口部側の端部から延設され、前記布地側になるに従って前記針落ち用開口部から離れるような向きにのみ傾斜されてなる傾斜面部が設けられていることを特徴とするミシンのボタンホール押さえ。
【請求項２】
前記凸部は、その前記針落ち用開口部と反対側の端部から前記布地の表面に対して略垂直となるように延設された垂直面部を備えることを特徴とする請求項１に記載のミシンのボタンホール押さえ。
【発明の詳細な説明】
【技術分野】
【０００１】
本発明は、ボタンホール用縫い目が形成される布地を押さえるミシンのボタンホール押さえに関する。
【背景技術】
【０００２】
従来より、布地の所定位置にボタンホール用縫い目を形成する、所謂、かがり縫いを行うミシンが知られており、このミシンには、かがり縫いが行われる布地を押さえるボタンホール押さえが設けられている（例えば、特許文献１参照。）。
ボタンホール押さえには、かがり縫いを行う際に縫い針が針落ちされる針落ち用開口部が設けられ、この針落ち用開口部の周縁部であって当該ボタンホール押さえの布地側となる底面には、布地の表面に接触して当該布地がずれるのを防止するゴム製の布ずれ防止部が設けられている。
【特許文献１】実開平４−１３５２７１号公報
【発明の開示】
【発明が解決しようとする課題】
【０００３】
ところで、上記特許文献１等の場合、布ずれ防止部は、例えば、略平板状に形成されていることから、その底面を布地に接触させた状態で当該布地の単位面積当たりに加えられる圧力が小さく、このために、布地に縫い目が形成されると、天秤による上糸の引き上げ作用によって布地がボタンホール押さえの針落ち用開口部に引き込まれるといった布ずれが生じてしまい、結果として、ボタンホール用縫い目の縫いずれが発生するといった問題がある。
そこで、布地の単位面積当たりに加えられる圧力を大きくする手段として、布ずれ防止部の底面に先端部側ほど断面が小さくなるような形状の凸部を複数設ける構成のものが提案されている。しかしながら、布ずれ防止部がゴム等の弾性体からなることから、例えば布地が薄い生地や滑りやすい材質からなるものである場合、当該布地に対して下方に引き込まれる方向に力が加わると、布地に接触する各凸部が変形することにより布地が下方に引き込まれた状態となってしまう。
このように、ボタンホール用縫い目が形成される布地は、縫い目形成動作に伴って布ずれが生じてしまうことから、その解決手段が切望されている。
【０００４】
そこで、本発明の課題は、ボタンホール用縫い目が形成される布地のずれを適正に防止することができるミシンのボタンホール押さえを提供することである。
【課題を解決するための手段】
【０００５】
上記課題を解決するため、請求項１に記載の発明は、
ボタンホール用縫い目が形成される布地を押さえるミシンのボタンホール押さえであって、
前記ミシンに備わる縫い針が針落ちされる針落ち用開口部と、
前記針落ち用開口部の縁部で、且つ、前記布地側に設けられ、前記布地の表面に接触して当該布地がずれるのを防止する布ずれ防止部と、を備え、
前記布ずれ防止部は、弾性体からなり、その布地側の面から突出するように形成された複数の凸部を備え、
前記凸部には、少なくとも前記針落ち用開口部側の端部から延設され、前記布地側になるに従って前記針落ち用開口部から離れるような向きにのみ傾斜されてなる傾斜面部が設けられていることを特徴としている。
【０００６】
請求項１に記載の発明によれば、布地の表面に接触して当該布地がずれるのを防止する弾性体からなる布ずれ防止部が備えられ、布ずれ防止部には、その布地側の面から突出するように形成された複数の凸部が備えられている。凸部には、少なくとも当該凸部の針落ち用開口部側の端部から延設されて、布地側になるに従って針落ち用開口部から離れるような向きにのみ傾斜されてなる傾斜面部が設けられている。これにより、複数の凸部によりボタンホール用縫い目が形成される布地に対する押圧力の付与を適正に行うことができるとともに、縫い目形成動作に基づいて布地に対して針落ち用開口部側に引き込まれるような力が加わった場合に、例えば、針落ち用開口部と反対側の端部から延設されて布地側になるに従って針落ち用開口部に近づくような向きに傾斜された傾斜面を備える凸部に比べて、布地に接する凸部の先端部分が変形し難くなって布ずれ防止部により布地のずれを適正に防止することができる。
【０００７】
請求項２に記載の発明は、請求項１に記載のミシンのボタンホール押さえにおいて、
前記凸部は、その前記針落ち用開口部と反対側の端部から前記布地の表面に対して略垂直となるように延設された垂直面部を備えることを特徴としている。
【０００８】
請求項２に記載の発明によれば、請求項１に記載の発明と同様の効果が得られるのは無論のこと、特に、凸部には、その針落ち用開口部と反対側の端部から布地の表面に対して略垂直となるように延設された垂直面部が備えられているので、布地に対して針落ち用開口部側に引き込まれるような力が加わっても、垂直面部により凸部の強度を向上させて当該凸部の先端部分の変形をより適正に防止することができる。従って、布ずれ防止部により布地のずれの防止をより適正に行うことができる。
【発明の効果】
【０００９】
請求項１に記載の発明によれば、複数の凸部によりボタンホール用縫い目が形成される布地に対する押圧力の付与を適正に行うことができるとともに、縫い目形成動作に基づいて布地に対して針落ち用開口部側に引き込まれるような力が加わった場合に、布地に接する凸部の先端部分が変形し難くなって布ずれ防止部により布地のずれを適正に防止することができる。
【００１０】
請求項２に記載の発明によれば、布地に対して針落ち用開口部側に引き込まれるような力が加わっても、垂直面部により凸部の強度を向上させて当該凸部の先端部分の変形をより適正に防止することができ、これにより、布ずれ防止部により布地のずれの防止をより適正に行うことができる。
【発明を実施するための最良の形態】
【００１１】
以下に、本発明について、図面を用いて具体的な態様を説明する。ただし、発明の範囲は、図示例に限定されない。
ここで、図１は、本発明を適用した好適な一実施形態として例示するミシンのボタンホール押さえを示す斜視図であり、図２は、ボタンホール押さえを示す底面図である。
【００１２】
本実施形態のミシンのボタンホール押さえ１００は、布地Ｃ（図５参照）の所定位置に縫い針Ｎ（図５参照）を針落ちさせてボタンホール用縫い目（図示略）を形成する、所謂、かがり縫いを行うミシン（図示略）に備わり、当該ミシンによってかがり縫いが行われる布地Ｃを押さえる（押圧する）ためのものである。
より具体的には、図１及び図２に示すように、ボタンホール押さえ１００は、例えば、その略中央となる位置に布地Ｃの布送り方向Ｘに長尺に形成され、縫い針Ｎが針落ちされる針落ち用開口部１と、この針落ち用開口部１の長手方向の両縁部に沿うようにして当該ボタンホール押さえ１００の布地Ｃ側となる底面２に設けられ、かがり縫いが行われる布地Ｃがずれるのを防止する布ずれ防止部３、３とを備えている。
なお、本発明に係るミシンのボタンホール押さえ１００は、以下に説明する以外の点は、従来のボタンホール押さえと略同様の構成をなすものであり、その詳細な説明は省略する。
【００１３】
布ずれ防止部３について、図面を参照して詳細に説明する。
ここで、図３は、布ずれ防止部３を示す斜視図であり、図４は、図３のIＶ−IＶ線における布ずれ防止部３の要部断面図である。
【００１４】
図３に示すように、布ずれ防止部３は、例えば、所定硬度のゴム等の弾性体からなり、布送り方向Ｘに長尺となるように平面視略矩形状に形成され、図３及び図４に示すように、その布地Ｃ側となる底面２側から突出するように形成された複数の凸部３１、…を備えている。
【００１５】
複数の凸部３１、…は、例えば、互いに略等しい間隔を空けるようにして布送り方向Ｘ及び当該布送り方向Ｘに対する直交方向Ｙに沿って並設されている。
また、これらの凸部３１、…の各々は、図４に示すように、その針落ち用開口部１側となる当該ボタンホール押さえ１００の内側Ｙ１の端部から延出され、先端部側（布地Ｃ側）になるに従って針落ち用開口部１から離れるように布地Ｃに向かって傾斜して形成された傾斜面部３１１と、この傾斜面部３１１の先端部から対向する布地Ｃの表面に対して略平行となるように延設され当該布地Ｃの表面に当接する当接面部３１２と、この当接面部３１２の針落ち用開口部１と反対側である当該ボタンホール押さえ１００の外側Ｙ２の端部からボタンホール押さえ１００の上面側に向けて布地Ｃの表面に対して略垂直となるように延設された垂直面部３１３とを備えている。
【００１６】
傾斜面部３１１は、先端部側になるに従って針落ち用開口部１から離れるような向きにのみ傾斜されたものである。即ち、本発明に係る傾斜面部３１１にあっては、先端部側になるに従って針落ち用開口部１に近づくような向きに傾斜された傾斜面を含めないこととする。
【００１７】
次に、ボタンホール押さえ１００の使用状態について説明する。
ここで、図５は、ボタンホール押さえ１００の使用状態を模式的に示した図であり、図６は、従来の布ずれ防止部３を示す要部断面図である。
【００１８】
本発明に係るミシンのボタンホール押さえ１００を用いたボタンホール用縫い目の形成は、ボタンホールとなる略直線状の切込み（図示略）を形成する前に行われるようになっている。
そして、ボタンホール用縫い目の形成の際には、例えば、図５に示すように、ミシンの縫い針Ｎに対向配置された針板Ｂ上にセットされた布地Ｃの表面（上面）の所定位置を押圧するようにしてボタンホール押さえ１００を配置する。
【００１９】
この状態で、ボタンホール用縫いが開始される。このボタンホール縫いは、縫製後に布地Ｃをナイフで切断開口されるボタン穴を四角形で囲むように、左右の平行部縫いと、これらの平行部の前後端部を連結する一対の閂止め縫いからなる。このうち、平行部縫いは送り歯Ｄ（図５参照）がＸ方向に布送りしながら縫い針ＮをＹ方向に針振りして形成されるものであり、閂止め縫いは送り歯Ｄの送り量をゼロ又は微小にして左右に平行部にまたがるように縫い針ＮをＹ方向に大きく針振りして形成される。
ここで、送り歯Ｄがいわゆる送り運動により、一縫い目毎に針板Ｂよりも上方に上昇してＸ方向に水平移動するときに、この送り歯Ｄの水平移動が布地Ｃにしっかりと伝わるように、ボタンホール押さえ１００により布地Ｃを下方の送り歯Ｄに押し付けて密着させるようにしている。
このとき、ボタンホール押さえ１００は、機枠に支持された押さえ棒の下端に対して、Ｘ方向に移動可能に装着され、布地Ｃの移動とともにボタンホール押さえ１００がずれることなく一体的に移動するようにしている。
一方、ボタンホール押さえ１００の中央部にはボタンホール用縫い目を形成するための四角形の針落ち用開口部１が形成されており、ここで縫い針Ｎが上下動して上糸及び下糸が縫い目として絡み合い、天秤により上糸を引き上げて両糸が互いに結節するときに、一縫い目毎に布地Ｃに対する上方への引き上げ力が発生する。この引き上げ力によって布地Ｃが針落ち用開口部１方向となる矢印Ｆ方向に引き込まれる方向に力が加えられる。ここで、ボタンホール押さえ１００の布ずれ防止部３の複数の凸部３１の各々には、その縫い針Ｎ側となる内側Ｙ１にのみ傾斜面部３１１が設けられ、より具体的には、当該布ずれ防止部３の内側Ｙ１に傾斜面部３１１が設けられているとともに、針落ち用開口部１と反対側となる外側Ｙ２には垂直面部３１３が設けられているので、布地Ｃが矢印Ｆ方向に引き込まれるように力が加えられても、凸部３１が変形し難くなって布ずれ防止部３により布地Ｃのずれを適正に防止することができる。
即ち、例えば、図６に示すように、布ずれ防止部２０３に、外側Ｙ２の端部から延設されて布地Ｃ側になるに従って針落ち用開口部１に近づくような向きに傾斜された傾斜面を有する形状の凸部２３１を備える場合、布地Ｃに対して引き込まれる方向に力が加わると、布地Ｃに接触する凸部２３１の先端部分が矢印Ｆ方向に倒れるように変形し易いために、矢印Ｆ方向に布地Ｃが引き込まれて布ずれが生じた状態となるが、本実施形態のボタンホール押さえ１００にあっては、凸部３１に先端部側になるに従って針落ち用開口部１から離れるような向きにのみ傾斜された傾斜面部３１１を設けることによって、当該凸部３１の変形が抑制されることとなる。
【００２０】
以上のように、本実施形態のミシンのボタンホール押さえ１００によれば、複数の凸部３１によりボタンホール用縫い目が形成される布地Ｃに対する押圧力の付与を適正に行うことができるとともに、布地Ｃに対する上方への引き上げ力が加わった場合であっても、布地Ｃに接する凸部３１の先端部分を変形させ難くすることができる。さらに、凸部３１には、外側Ｙ２の端部から布地Ｃの表面に対して略垂直となるように延設された垂直面部３１３が備えられているので、この垂直面部３１３により凸部３１の強度を向上させて当該凸部３１の先端部分の変形をより適正に防止することができる。
従って、ボタンホール用縫い目が形成される布地Ｃが例えば薄い生地や滑りやすい材質からなるものであっても、布ずれ防止部３によって布地Ｃのずれの防止をより適正に行うことができ、この結果、ボタンホール用縫い目の縫いずれの発生を好適に防止することができる。
【００２１】
なお、本発明は、上記実施の形態に限定されることなく、本発明の趣旨を逸脱しない範囲において、種々の改良並びに設計の変更を行っても良い。
例えば、傾斜面部３１１として、各凸部３１の針落ち用開口部１側の端部から延設されたもののみを設ける構成としたが、これに限られるものではなく、少なくとも針落ち用開口部１側の端部から延設された傾斜面部３１１が設けられていれば良く、例えば、この傾斜面部３１１に加えて凸部３１の所定位置に他の傾斜面部３１１を設けても良い。
また、布ずれ防止部３に配設される凸部３１の位置や向き、個数等は、例えばボタンホール用縫い目が形成される布地Ｃの種類等に応じて適宜任意に変更可能である。
【図面の簡単な説明】
【００２２】
【図１】本発明を適用した好適な一実施形態として例示するミシンのボタンホール押さえを示す斜視図である。
【図２】図１のボタンホール押さえを示す底面図である。
【図３】図１のボタンホール押さえに備わる布ずれ防止部を示す斜視図である。
【図４】図３のIＶ−IＶ線における布ずれ防止部の要部断面図である。
【図５】図１のボタンホール押さえの使用状態を模式的に示した図である
【図６】従来の布ずれ防止部を示す要部断面図である。
【符号の説明】
【００２３】
１００  ボタンホール押さえ
１      針落ち用開口部
３      布ずれ防止部
３１    凸部
３１１  傾斜面部
３１３  垂直面部
Ｎ      縫い針
Ｃ      布地
【図１】
2006166978.tif 000003
【図２】
2006166978.tif 000004
【図３】
2006166978.tif 000005
【図４】
2006166978.tif 000006
【図５】
2006166978.tif 000007
【図６】
2006166978.tif 000008